(57)【要約】 【課題】  気体成分が高濃度に溶存し泡を含まない液体を安定的かつ連続的に供給可能な気液溶解装置を提供すること。【解決手段】気液溶解装置１は、上部のドーム状天板５ａで気液混相流体の流れを受け止めつつ下部に流体の孔５ｂを設け、併せて、中間の内側側面に側面を伝って下降する気液混相流体の流れの向きを下向きから偏向させるかえし５ｃを設けた気液溶解室５と、気液混相流体を気液溶解室の上部へ向けて上向きに噴出させるノズル２と、気液溶解室５の外側に配され、孔５ｂからの気液混相流体を貯留して液体を気体から分離する気液分離室６と、を有し、ノズル２からの噴出の勢いと、気液溶解室５の上部からおよびかえし５ｃからの還流とによる攪拌により液体中の気体成分の溶存濃度を高める。【選択図】図２
2007075749.tif 000002
【特許請求の範囲】
【請求項１】
液体と気体の気液混相流体を供給する供給部と、
上部で気液混相流体の流れを受け止めつつ下部に流体の逃がし孔を設け、併せて、中間の内側側面に側面を伝って下降する気液混相流体の流れの向きを下向きから偏向させる偏向体を設けた気液溶解室と、
気液溶解室に貫入し、供給部が供給する気液混相流体を気液溶解室の上部へ向けて上向きに噴出させるノズルと、
逃がし孔を介して気液溶解室と連通しつつ、気液溶解室の外側に配され、逃がし孔からの気液混相流体を貯留して液体を気体から分離する気液分離室と、
気液分離室で分離された液体を取り出す取出口と、
を有し、
ノズルからの噴出の勢いと、気液溶解室の上部からおよび偏向体からの還流とによる攪拌により液体中の気体成分の溶存濃度を高める気液溶解装置。
【請求項２】
気液溶解室の上部をドーム状に形成したことを特徴とする請求項１に記載の気液溶解装置。
【請求項３】
偏向体を切頭ドーム形状ないしエンゼルケーキ型形状としたことを特徴とする請求項１または２に記載の気液溶解装置。
【請求項４】
ノズルの先端部分を噴出口に向かって先細りとなるように形成したことを特徴とする請求項１、２または３に記載の気液溶解装置。
【請求項５】
気液分離室内に気液溶解室を収容したことを特徴とする請求項１〜４のいずれか一つに記載の気液溶解装置。
【請求項６】
逃がし孔の総断面積をノズルの噴出口の面積より広くなるように形成したことを特徴とする請求項１〜５のいずれか一つに記載の気液溶解装置。
【請求項７】
気液溶解室の外側側面を円筒形状ないし軸対称形状になるように形成して気液分離室内に収容し、
さらに、開放された上部を有し側面が円筒形状ないし軸対称形状であって上部にいくに従って先細りに形成された隔壁体を気液溶解室と気液分離室との間に配し、
逃がし孔を介して気液溶解室から隔壁体側へ移動する気液混相流体を、気液溶解室の径方向に対して所定の角度をつけて流出させ、
気液溶解室外側と隔壁体内側との間に上方に移動していく旋回流を発生させることを特徴とする請求項１〜６のいずれか一つに記載の気液溶解装置。
【請求項８】
気液溶解室の厚みを利用して、孔の穿孔方向を気液溶解室の径方向から所定の角度をつけた方向とすることを特徴とする請求項７に記載の気液溶解装置。
【発明の詳細な説明】
【技術分野】
【０００１】
本発明は、気体成分を高濃度に溶かし込んだ液体を連続的に生成する気液溶解装置に関し、特に、貧酸素化した水域から取り込んだ水に酸素を含んだガスを溶解させて溶存酸素濃度を高め、再びその水域へ送り返すことが可能な気液溶解装置に関する。
【背景技術】
【０００２】
湖沼、ダム、河川、内湾等の底層には、陸上から流入する生活廃水や農耕廃水に起因した有機物、または、この有機物を栄養源として増殖した水生植物やプランクトンの遺骸が堆積している。これらの有機物や堆積物は、底層水中の酸素を消費しながら分解していく。従って、この酸素消費を伴う分解反応により、湖沼などの底層には貧酸素化した水域が発生する。
【０００３】
貧酸素化した水域とは、酸素の溶存濃度がせいぜい１〜２ｍｇ／リットルの領域をいい、これは水面付近の１０ｍｇ／リットルより遙かに低い値である。特に、貧酸素化した水域は、水が汚れている場合が多く、光合成が行えないため藻が生えず、藻が生えないため酸素が生成されず貧酸素化が進む、という悪循環に陥る。
【０００４】
底層の貧酸素化は、湖沼等の環境に様々な悪影響を及ぼすことが知られている。例えば、底層が貧酸素な状態であると底生生物が死滅してしまう場合がある。また、底層が貧酸素化すると、還元雰囲気となり、周辺岩石やヘドロから金属が溶出し水質の悪化を招く場合もある。
【０００５】
このような貧酸素状態を解消するため、貧酸素化した水域に酸素を供給し溶存酸素濃度を高める方法が知られている。例えば、特開平５−１６８９８１号公報「酸素吹込装置」、特開平７−１８５２８１号公報「気体の溶解装置」、特開２００２−２００４１５号公報「空気を水に溶解する装置」には、泡状の酸素や空気を直接貧酸素化した水域に供給する方法が開示されている。
【０００６】
また、特開２００２−１７７９５３号公報「水中設置型加圧タンク方式水の溶存酸素自動制御方法」、特開２０００−２４５２９５号公報「酸素水供給装置」には、密閉したタンク内で酸素と水とを加圧混合することによって強制的に酸素を水に溶解し、溶存酸素濃度を高めた水（以下、高濃度酸素溶解水と適宜称する）を生成し、貧酸素化した水域に供給する方法が開示されている。
【０００７】
また、特開平１１−２０７１６２号公報「加圧式酸素溶解方法」には、同様に密閉したタンク内で高濃度酸素溶解水を生成し、一旦、タンク内で大気開放した後、貧酸素化した水域へ供給する方法が開示されている。さらに、特開２００２−３４６３５１号公報「気体溶解装置」には、密閉したタンク内に溶解させるガスを充満させ、このタンクの中に、水を噴出させてガスの溶解を行う方法が開示されている。
【０００８】
また、ＷＯ２００５／０７５３６５「気液溶解装置」には、上向きに噴出させた気液混相流体を上部で受け止め下部から流出させる気液溶解室を設けた技術が開示されている。
【０００９】
【特許文献１】特開平５−１６８９８１号公報
【特許文献２】特開平７−１８５２８１号公報
【特許文献３】特開２００２−２００４１５号公報
【特許文献４】特開２００２−１７７９５３号公報
【特許文献５】特開２０００−２４５２９５号公報
【特許文献６】特開平１１−２０７１６２号公報
【特許文献７】特開２００２−３４６３５１号公報
【特許文献８】ＷＯ２００５／０７５３６５
【発明の開示】
【発明が解決しようとする課題】
【００１０】
しかしながら、従来の酸素濃度を向上させる装置を水中、特に、底層部の酸素濃度向上技術として適用する場合には以下の問題点があった。
まず、特開平５−１６８９８１号公報、特開平７−１８５２８１号公報、特開２００２−２００４１５号公報に開示される技術では、泡状の酸素や空気を直接貧酸素化した水域へ送り込むと、そのほとんどが水面へ浮上してしまうため、酸素濃度を効率的に高められないという問題点があった。
【００１１】
次に、水面へ浮上する泡自体も底質を巻き上げる水流を作り出すため、以下の問題を引き起こしてしまう場合があった。すなわち、底質が巻き上がると、堆積していた有機物などが撹拌されて分解反応を促進してしまい、かえって酸素濃度を低下させてしまったり、貧酸素水域を拡大させてしまう場合があった。また、底質が巻き上がる際に、周辺岩石やヘドロから溶出した金属成分が拡散し、水質悪化を拡大してしまう場合もあった。
【００１２】
また、特開２００２−１７７９５３号公報、特開２０００−２４５２９５号公報に開示される技術では、圧力の高い高濃度酸素溶解水を貧酸素化した水域に供給すると、圧力低下に伴い酸素が気泡となって析出してしまうので、同様に、底質の巻き上げに伴う問題点が生じてしまう。また、特開平１１−２０７１６２号公報に開示される技術の場合も、タンクから供給される高濃度酸素溶解水中には、一旦大気開放した際に発生した気泡が混在しており、やはり底質を巻き上げてしまうという問題点があった。
【００１３】
さらに、密閉したタンク内で高濃度酸素溶解水の生成を行う場合、タンク内の圧力や水位を制御するための設備が必要であった。このため装置自体が大掛かりとなり、設備にかかる費用が高くなってしまうという問題点があった。
【００１４】
また、湖底やダムといった大容量の水を処理する場合には、一般的に、連続して水を処理させたいという要望がある。また、このとき、ポンプ駆動や上述した底質巻上の観点から、泡を含まない液体部分だけを取り出したいという要望もある。
【００１５】
さらに、生成された高濃度酸素溶解水も、一定量を連続的に供給したい、すなわち、安定的に供給したいという要請もある。これは、水量が変化すると水流が揺らぎ、底質巻上の原因となるためである。
【００１６】
一方、ＷＯ２００５／０７５３６５に開示される気液溶解装置は、本願出願人らが先に出願した技術であるが、この様な気液溶解装置であっても、気液溶解室では可能な限り気体を液体に溶解させ、気液分離室では可能な限り残存気体を流入させないような技術が望まれている。
【００１７】
本発明は上記に鑑みてなされたものであって、気体成分が高濃度に溶存し泡を含まない液体を安定的かつ連続的に供給可能な気液溶解装置を提供することを目的とする。
【００１８】
また、本発明は、気泡による底質の巻き上げを防止しつつ貧酸素化した水域の酸素濃度を効率よく高めることができ、しかも安価に構築できる気液溶解装置を提供することを目的とする。
【００１９】
特に、気体と液体の溶解効率を高め、溶解しなかった気体の分離効率を高める気液溶解装置を提供することを目的とする。
【課題を解決するための手段】
【００２０】
上記の目的を達成するために、請求項１に記載の気液溶解装置は、液体と気体の気液混相流体を供給する供給部と、上部で気液混相流体の流れを受け止めつつ下部に流体の逃がし孔を設け、併せて、中間の内側側面に側面を伝って下降する気液混相流体の流れの向きを下向きから偏向させる偏向体を設けた気液溶解室と、気液溶解室に貫入し、供給部が供給する気液混相流体を気液溶解室の上部へ向けて上向きに噴出させるノズルと、逃がし孔を介して気液溶解室と連通しつつ、気液溶解室の外側に配され、逃がし孔からの気液混相流体を貯留して液体を気体から分離する気液分離室と、気液分離室で分離された液体を取り出す取出口と、を有し、ノズルからの噴出の勢いと、気液溶解室の上部からおよび偏向体からの還流とによる攪拌により液体中の気体成分の溶存濃度を高めることを特徴とする。
【００２１】
すなわち、請求項１にかかる発明は、ノズルから噴出する気液混相流体の勢いによって液体と気体との接触面積および接触機会を重畳的に高めて気体の溶解を促進し、かつ、気液溶解室内と気液分離室とで段階的に気体を分離して液体部分のみを安定的、連続的に取り出す。特に、偏向体を設けることにより、気液混相流が勢いよく直に逃がし孔から気液分離室に流出するようなことがなく、逆に、上部との間で気液混相流が撹拌され、気体の接触機会がさらに高まる。
【００２２】
なお、上部、下部とは、それぞれ、装置を設置したときの気液溶解室の鉛直上方側と、鉛直下方側をいう。また、逃がし孔とは、気液混相流体を気液溶解室外部へ流出させる孔をいう。また、供給部は、機能的に、気液混相流体をノズルへ供給できればその構成は特に限定されず、例えば、液体の供給部と気体の供給部が直接ノズルに接続される場合も含むものとする。なお、気液分離室で気体は上部に集まってくるが、本請求項では、ガス抜孔やガス回収部を述べていない。これは、そのような構成部分の存在を排除する意味ではなく、単に特定していないだけであって、必要に応じて設けることを何ら妨げない。
【００２３】
なお、本発明による気液溶解装置を用いた高濃度酸素溶解水は従来のように強制的にガス（空気または酸素）を溶解させるべく内圧を雰囲気圧力より過度に高圧にして生成したものではないので、貧酸素水域に戻しても圧力開放に基づく気泡が析出しない。また、高圧タンクのような密閉した反応容器や、その内圧および水位を制御するための設備も不要となり、装置自体の簡素化を図ることも可能となる。なお、雰囲気圧力とは、気液溶解装置の主要部（気液溶解室、気液分離室、ノズル）が配置される場所の周囲の圧力を意味し、設置場所が陸上であるならば大気圧、水中であるならば水圧をいう。なお、気液混相流体を噴出させるための加圧（例えばプラス１気圧程度の加圧）は、水流を作るために必要であって前述した過度の高圧とするための加圧機構には該当しない。なお、この場合、水とは、河川、湖沼やダムの水といった塩分を含まない水の他、海水や汽水といった塩分を含む水も含むものとする。
【００２４】
また、請求項２に記載の気液溶解装置は、請求項１に記載の気液溶解装置において、気液溶解室の上部をドーム状に形成したことを特徴とする。すなわち、請求項２にかかる発明は、ノズルから噴出した気液混相流体がドームに沿って澱まず流れ、気体と液体との接触機会を効率的に高めてその接触面積を大きくでき、気体の溶解をより促進する。また気液溶解室の上部をドーム状に形成することにより、気液溶解室の耐久性を向上させることが可能となる。
【００２５】
また、請求項３に記載の気液溶解装置は、請求項１または２に記載の気液溶解装置において、偏向体を切頭ドーム形状ないしエンゼルケーキ型形状としたことを特徴とする。
【００２６】
すなわち、請求項３にかかる発明は、下降した気液混相流体がそのまま逃がし孔から勢いよく流出してしまうのを防ぎ、気液分離室の機能をより向上させる。すなわち、切頭ドーム形状は、いわば、「かえし」ということができる。なお、切頭ドーム形状とは、底を抜いたボウルのような形状をいう。また、エンゼルケーキ型形状とは、穴あきドーナツを水平に二等分した際の外周様形状をいう。
【００２７】
また、請求項４に記載の気液溶解装置は、請求項１、２または３に記載の気液溶解装置において、ノズルの先端部分を噴出口に向かって先細りとなるように形成したことを特徴とする。すなわち、請求項３にかかる発明は、気液混相流体を付勢して気液溶解室へ流入させることができる。
【００２８】
また、請求項５に記載の気液溶解装置は、請求項１〜４のいずれか一つに記載の気液溶解装置において、気液分離室内に気液溶解室を収容したことを特徴とする。すなわち、請求項５にかかる発明は、気体成分の溶存濃度の高まった気液混相流体を気液溶解室の逃がし孔から気液分離室へ直接流出させるので、気液分離室へ気液混相流体を送り込むための管等の設備を必要としない。また、装置が一体的に構成されるので、装置の設置や設営を簡便に行うことが可能となる。
【００２９】
また、請求項６に記載の気液溶解装置は、請求項１〜５のいずれか一つに記載の気液溶解装置において、逃がし孔の総断面積をノズルの噴出口の面積より広くなるように形成したことを特徴とする。すなわち、請求項６にかかる発明は、ノズルから噴出する気液混相流体による気液溶解室の内圧の過度の上昇を防止する。
【００３０】
また、請求項７に記載の気液溶解装置は、請求項１〜６のいずれか一つに記載の気液溶解装置において、気液溶解室の外側側面を円筒形状ないし軸対称形状になるように形成して気液分離室内に収容し、さらに、開放された上部を有し側面が円筒形状ないし軸対称形状であって上部にいくに従って先細りに形成された隔壁体を気液溶解室と気液分離室との間に配し、逃がし孔を介して気液溶解室から隔壁体側へ移動する気液混相流体を、気液溶解室の径方向に対して所定の角度をつけて流出させ、気液溶解室外側と隔壁体内側との間に上方に移動していく旋回流を発生させることを特徴とする。
【００３１】
すなわち、請求項７にかかる発明は、上部にいくに従って流速が増す旋回流により、比重の小さな気体が中心に集まり、微細気泡を液体からを効率的に分離させる。また、装置が一体的に構成されるので、装置の設営や引上げを簡便に行うことが可能となる。なお、気液溶解室の外側側面が円筒形状ないし軸対称形状であるとは、例えば、上部が半球形、側面が円柱形であるような場合をはじめとし、気液溶解室の軸に垂直な断面の外形が円であって軸に沿って径が異なる場合を含むものとする。同様に、隔壁体が、その側面が円筒形状ないし軸対称形状であって上部にいくに従って先細りに形成されているとは、切頭中空円錐形状をはじめとし、軸を共通にした径の異なる中空円柱の結合体や、軸を共通にした径の異なる中空円柱を中空円錐でつないだものも含むものとする。
【００３２】
また、請求項８に記載の気液溶解装置は、請求項７に記載の気液溶解装置において、気液溶解室の厚みを利用して、孔の穿孔方向を気液溶解室の径方向から所定の角度をつけた方向とすることを特徴とする。すなわち、請求項８にかかる発明は、装置構成を簡素化することにより故障箇所の要因を低減し、長期の連続使用に資することができる。
【００３３】
なお、本発明（請求項１〜６）において、気液溶解室の逃がし孔は、大きくしすぎて大きな泡や渦流が気液分離室に流出してしまったり、小さくしすぎて孔で付勢された噴流が気液分離室に流出してしまったりしない程度の大きさとするのが好ましい。換言すれば、気液分離室における水流が泡を砕いて微細な泡を生成してしまわない程度の水流が保てる大きさとするのが好ましい。このとき、逃がし孔の大きさが大きくならないように逃がし孔を複数設けるのがさらに好ましい。これにより、勢いのある水流を気液溶解室に閉じこめ、気液分離室では安定した弱い水流だけにして、泡と高濃度酸素水の効率的な分離が可能となる。また、大きな泡を気液分離室に流出させない方法として、気液溶解室の長さを長くする方法を挙げることができる。
【００３４】
一方、請求項７および８では、旋回流を発生させるために、逃がし孔である程度付勢された流れとなることが好ましい。従って、逃がし孔の径および個数は、付勢された流れを形成可能なように設計することが好ましい。
【発明の効果】
【００３５】
本発明によれば、気体成分が高濃度に溶存し泡を含まない液体を安定的かつ連続的に供給可能な気液溶解装置を提供することが可能となる。特に、貧酸素水域の底層付近で稼働した場合、気泡による底質の巻き上げを防止しつつ貧酸素化した水域の酸素濃度を効率よく高めることができる。また、気体と液体の溶解効率を高め、溶解しなかった気体の分離効率を高めることができる。
【発明を実施するための最良の形態】
【００３６】
〔実施の形態１〕
以下、本発明の実施の形態を図面を参照しながら詳細に説明する。
図１は、本実施の形態の気液溶解装置を利用して湖の貧酸素化を改善する例を示した説明図である。図２は、本実施の形態の気液溶解装置の主要部分の概略構成例を示した断面図である。図３は、本実施の形態の気液溶解装置の主要部分を斜め上方から模式的に表した図である。気液溶解装置１は、湖Ａの貧酸素水域Ｂから水を取り込みノズル２へ供給するポンプ３と、酸素を含んだガス（以下、酸素ガスと適宜称する。またこの酸素ガスとして空気を用いることができる。）をノズル２へ供給する酸素供給部４と、ポンプ３が供給する水と酸素供給部４が供給する酸素ガスとを気液溶解室５内の天板部分５ａへ向けて噴出させるノズル２と、ノズル２から噴出した水と酸素ガスとを攪拌して高濃度酸素溶解水を生成する気液溶解室５と、気液溶解室５内で生成した高濃度酸素溶解水と水に溶けなかった酸素ガスの気泡とを貯留して分離する気液分離室６と、を有している。
【００３７】
図示したように、気液溶解装置１は、貧酸素水域Ｂに設置されている。なお、姿勢を保つために、本実施の形態の気液溶解装置１は、上部にうき８と、下部におもり９とを備えている。このようにうき８とおもり９を備えることにより、水面から投入するだけで簡便な装置設営が可能となる。
【００３８】
気液溶解室５は、有底の縦長筒状体で、天板部分５ａがドーム形状をしており、下部側面には複数の孔５ｂを有し、この孔５ｂとノズル２部分を除いて密閉した構成となっている。また、気液溶解室５には、切頭ドーム形状のかえし５ｃが設けられている。また、気液溶解室５内部には、先端部分２ａの内径が噴出口２ｂに向かって細くなるよう形成されたノズル２が噴出口２ｂを上向きとしてドーム形状の中心に対向するように配置されている。ノズル２には、ポンプ３と酸素供給部４とが接続され、貧酸素水と酸素ガスとが混合した気液混相流体がある程度の水圧を以て常時流入するようになっている。
【００３９】
気液分離室６は、縦長筒状体であって、気液溶解室５をすっぽりと覆うように設けられ、固定部１０により気液溶解室５を保持する構成としている。この気液分離室６は、上部にガス抜孔６ａを設け、最終的に気体として残ったガスを放出または再利用可能にしている。また、気液分離室６の底部には吐出口６ｂを設け、高濃度酸素溶解水を貧酸素水域Ｂに送り返すようにしている。なお、気液分離室６の形状は筒状であるが、その断面に特に限定はなく、円形や楕円形をはじめとし多角形であってもよいものとする。また、使用の態様によっては、卵形のような楕円体形も含まれるものとする。
【００４０】
気液溶解装置１の処理動作を以下に説明する。まず、ポンプ３を作動させて、貧酸素水域Ｂの水を取り込みノズル２へと供給する。これと同時に、酸素供給部４が酸素ガスをノズル２へと供給する。供給された水と酸素ガスとはノズル２内で気液混相流体１１を形成する。気液混相流体１１はポンプ圧に加えてノズル２の先細りの先端部分２ａでさらに付勢され、気液溶解室５内へ勢いよく噴出する。
【００４１】
噴出した気液混相流体は、天板５ａに衝突した後ドーム形状に沿って下降する。この際、気液混相流体１１は自らの噴出の勢いで渦ないし乱流を形成する。この複雑な流れにより、気液混相流体１１中の酸素ガスは極めて細かな気泡となり接触面積を著しく増大して水と激しく接触し、攪拌される。これに加えて、気液溶解室５内を下降する気液混相流体１１とノズル２から噴出する気液混相流体１１とが衝突し、酸素ガスと水との更なる接触および攪拌が起こり、酸素ガスが水に効率的に溶解していく。以上のようにして気液溶解室５内で、高濃度酸素溶解水が生成される。
【００４２】
さらに、気液溶解室５の内壁を伝って下降してきた気液混相流体はかえし５ｃにより勢いが弱められ、そのうちのいくらかは再上昇し気液溶解室５の上部で再撹拌される。従って、ノズル２と天板５ａとかえし５ｃにより、気液溶解室５内における酸素ガスの溶解が一層促進される。
【００４３】
かえし５ｃにより勢いの弱められた高濃度酸素溶解水は、水に溶けなかった酸素ガスの気泡と混在した状態で、気液溶解室５内を下降し、孔５ｂを通って気液分離室６へと移動する。ここで、孔５ｂは気液溶解室５の下部側面に設けられているので、大きな気泡は上部に残留し細かな泡と高濃度酸素溶解水が気液分離室６へ移動することとなる。見方を変えれば、気液溶解室５は、激しい水流を上部に閉じこめ、噴流が気液分離室６に出ないように整流して細かな泡が気液分離室６内で踊ってしまわないように流体を送り出すともいえる。
【００４４】
高濃度酸素溶解水と気泡とは、気液分離室６で一時的に貯留されることによって、気泡が上部へ分離していき、泡の含まれない高濃度酸素溶解水だけが吐出口６ｂから貧酸素水域Ｂへ定常的に送り返される。なお、孔５ｂから流出する気泡が吐出口６ｂから送出される高濃度酸素溶解水へ混ざることを防止するため、吐出口６ｂは孔５ｂより低く、しかも離れた位置に設けられている。
【実施例１】
【００４５】
上述の気液溶解装置を用いて貧酸素水を処理し、溶存酸素濃度の測定を行った。図４は、実施の形態１で説明した気液溶解装置により処理した水の溶存酸素濃度の変化を装置の運転時間とともに示したグラフである。測定の条件は、ノズルから噴出する水の流量１０リットル／ｍｉｎ、供給した酸素ガス濃度９９．９パーセント（酸素ボンベ使用）、酸素ガスの供給量０．５リットル／ｍｉｎ、気液溶解室内の加圧０．１Ｍｐａ（約１気圧分の加圧）、水温２７℃である。なお、図４のグラフには、比較例として図５に示した従来装置で処理した水の溶存酸素濃度をあわせて記載している。
【００４６】
図５に示した従来装置は、同様の装置の中でも高濃度の酸素溶解水を供給可能な型である。簡単に説明すると、従来装置は、気液溶解反応の反応容器となる密閉タンクと、水を取り込むポンプと、ポンプ上流に配された水の供給量を調整する流量調整バルブと、酸素ガスの供給源と、水と酸素ガスとを密閉タンクへ噴出させるノズルと、ノズルから噴出した気体と液体をぶつけるじゃま板と、密閉タンク内にたまる剰余気体を排出するバルブと、密閉タンク内で生成した高濃度酸素溶解水の吐出量を調整するバルブと、を有している。
【００４７】
従来装置は、密閉タンク内に予め酸素ガスを充満させて、じゃま板の下に水面がくるように調整し、じゃま板へ向けてノズルから水と酸素ガスとを噴出させて、ガスを水に溶解させる構成を採用している。なお、この方式の従来装置は、図示を省略するが、密閉タンク内の圧力や水位を制御するための制御部が必要となる。特に、剰余気体を排出するバルブは、水位調節機能を有するため、制御が複雑で、装置自体が大掛かりで高価とならざるを得ない。
【００４８】
図４から明らかなように、本実施例の気液溶解装置は、装置運転開始後４分程度で定常運転となり、酸素濃度＝５０ｍｇ／リットルの高濃度酸素溶解水を供給可能であることがわかる。一方、図５に示した従来装置では、装置運転開始後８分程度で略定常的な運転となるが、得られる高濃度酸素溶解水の濃度は４０〜４５ｍｇ／リットルであり、しかも、水位調節のため剰余気体を排出する制御が加わるため、酸素濃度が安定していないことがわかる。なお、従来装置では、剰余気体の排出に伴い、高濃度酸素溶解水の貧酸素水域Ｂへの供給が一定しないことも改めて確認できた。
【００４９】
高濃度酸素溶解水の溶存酸素濃度が相対的に低い場合には、貧酸素水域へは大量の高濃度酸素溶解水を供給しなければならず、水流によって底質の撹乱を起こしてしまうことがある。底質の撹乱を起こさず、効率よく貧酸素水域の溶存酸素濃度を向上させるには、より濃度の高い酸素溶解水を揺らぎなく安定的に供給する必要がある。図４に示した通り、本実施の形態の気液溶解装置は、従来より溶存酸素濃度の高い高濃度酸素溶解水を、安定的に連続して生成することができる。なお、この実施例では、貧酸素水域の水を陸上までポンプアップする必要がなくなるため、エネルギーを節約することも可能となっている。
【００５０】
以上、実施例も含めて実施の形態１では、気液溶解装置を貧酸素水域に設置した場合を説明したが、使用の態様によっては陸地に設置してもよい。図６は、気液溶解装置を陸上に設置した場合の説明図である。なお、図１に示した構成部と同様の構成部には同一の符号を付している。図６において、符号１２は、貧酸素水域Ｂから水をくみ上げるための汲上ホースを示しており、符号１３は、吐出口６ｂからの高濃度酸素溶解水を貧酸素水域Ｂへ送り返すための送水ホースを示している。装置を陸地に設置する場合としては、例えば、貧酸素水域Ｂへ投下するとコストが高くなる場合や、貧酸素水域Ｂにヘドロが多く足場を確保できない場合や、ヘドロに埋没してしまい引上げが困難となる場合などが挙げられる。
【００５１】
なお、酸素の溶存濃度の観点から水中設置と陸上設置とを比較すれば、設置する場所の深度が深ければ気液溶解室内の圧力が上昇し、多くの酸素ガスを水に溶解させることができるため、水中設置が好ましい。なお、気液溶解装置を水中に設置する場合の酸素供給部は、酸素発生装置とコンプレッサーとを用いて陸上から供給する構成としてもよいし、ガスボンベを水中に設置して供給する構成としてもよい。また、設置場所が水中、陸上に限らず、ノズルから水を噴出させるための加圧手段をポンプ以外に設けてもよい。またこの加圧手段を利用して気液溶解室内や気液分離室内を加圧してもよい。
【００５２】
なお、以上の例では、ノズルを１本としたが、使用の態様によっては複数のノズルを設けてもよい。このとき、気液溶解室の内圧が高まり破損してしまうのを防止するため、適宜下部の孔の個数を調整して、孔の総面積がノズルの総断面積より大きくなるようにする。また、孔の位置は、気液分離室内における気泡と水との分離を妨げないのであれば気液溶解室の下部側面に設けてもよいし、底部分に設けてもよい。
【００５３】
また、図７は、かえし５ｂの他の例を示した図である。このうち図７（a）は、断面図を、図７（ｂ）は、斜視図を示している。図示したように、かえし５ｂをエンゼルケーキ型形状とすると、気液溶解室５の内壁を伝って下降してきた気液混相流体の多くは環流され気液溶解室５の上部で再撹拌されることとなる。
【００５４】
〔実施の形態２〕
次に、海水対応型の気液溶解装置について説明する。海水や塩分濃度の高い汽水域で実施の形態１の気液溶解装置を駆動すると、泡が極めて微小となり、気液分離室内で気泡と海水との分離がほとんど進まない現象が生じる。これは、塩分などによる影響で気泡が極めて微小となってしまい、浮力よりも、例え緩やかであったとしても水流がまさるためである。実施の形態２では、旋回流を用いて気泡と海水との分離を行う装置について説明する。
【００５５】
図８は、本実施の形態の気液溶解装置の主要部分の概略構成例を示した断面図である。図９は、気液溶解室に設けられた孔部分を含む断面図である。気液溶解装置２１は、貧酸素水域から海水を取り込みノズル２２へ供給するポンプ２３と、酸素ガスをノズル２２へ供給する酸素供給口２４と、下部に孔２５ｂを有しドーム状（半球状）の天井２５ａを有する有底の気液溶解室２５と、ポンプ２３および酸素供給口２４により供給される海水と酸素ガスとを気液溶解室２５の内側から天井２５ａ内壁に衝突するよう上向きに噴出させるノズル２２と、気液溶解室２５を包み、気液溶解室２５の外壁との間で旋回流を生じさせる隔壁体２７と、隔壁体２７を包み、上部には気泡を外部へ逃がすガス抜孔２６ａを有し、下部には気泡と分離した海水を吐出する吐出口２６ｂを有する気液分離室２６と、を有する。
【００５６】
なお、図示は省略するが、気液溶解装置２１は、貧酸素海水域に設置されているものとする。このような場所として、例えば、防波堤や狭い水道により外海と略隔てられた内湾部を挙げることができる。なお、気液溶解装置２１は、その姿勢を保つために、台座３０に備え付けられ、台座３０は脚部３１により海底に固定されている。
【００５７】
気液溶解装置２１は、隔壁体２７を有する点に特徴があり、これにより微小気泡を海水から分離する。次に、処理動作について説明する。隔壁体２７は、有底であり開放された上部２７ａを有し、上部２７ａにいくに従って、内側面が先細りの形状となっている。また、気液溶解室２５は、上部が半球の円筒形状であり、また、下部には、気泡と海水との混相流体が斜めに吹き出すように孔２５ｂが設けられている（図９参照）。これにより、混相流体は、気液溶解室２５の外周（隔壁体２７の内周）に沿った旋回流を形成する。混相流体は順次孔２５ｂから供給されるため、結果的に混相流体は螺旋状に上部に移動していく。
【００５８】
上部では隔壁体２７の径が絞り込まれているので、混相流体の流速が増す。すると、遠心力により比重の大きな海水は外側に、微小気泡は中心に集まり上昇する。水流および気流は上部２７ａで開放され、水流部分は自重により下り吐出口２６ｂから貧酸素海水域に還流し、気流部分はガス抜孔２６ａにより回収される。これにより、気泡が微小化する場合でも、溶存酸素濃度の高まった海水を生成し分離して供給可能となる。
【００５９】
なお、図示した例では、孔２５ｂは、２つ対称に設けられているが、これに限ることなく、３つでも４つでもよい。ただし、流れの安定性を考慮すれば対称的な位置に設けることが好ましい。また、この例では、孔２５ｂが斜めに穿たれ、孔２５ｂにより直接旋回流が形成されるようにしているが、これに限らず、例えば径方向に孔を開けて管を取付け、管の先を曲げて接線方向に混相流体を排出するようにして旋回流を発生させてもよい。
【００６０】
なお、実施の形態２では、脚部３１により装置全体を海底に固定する態様を説明したが、これに限ることなく、例えば、実施の形態１に示したように、上部にうき、下部におもりを備え、水面から投入するだけで装置設営を可能とし、また、水中における装置の姿勢を維持できる態様としても良い。
【００６１】
〔実施の形態３〕
実施の形態３では、自然吸気によりノズルから気液混相流体を噴出させる装置について説明する。図１０は、実施の形態４にかかる気液溶解装置のノズル先端部分の斜視図である。本実施の形態の気液溶解装置は、ノズル３２内に空気の供給管３４が噴出口３２ｂと同一面の位置まで通してある。ノズル３２は、噴出口３２ｂに向かって先細りに形成されているので水が付勢されて噴出する。このとき、圧力差が生じ空気の供給管３４から空気が吸引され、結果としてノズル３２から噴出する流体が気液混相流体となる。
【００６２】
このような構成にすれば、ポンプにより送気する必要がなくなり、空気の供給管３４の他端を取り回し、水面より上にもってくるだけで空気の供給が可能となる。なお、大気圧との関係から気液溶解装置の設置深さに制約が生じるが、本実施の形態による気液溶解装置は、例えば、活魚移送時の水槽などに用いることができる。
【００６３】
なお、ノズル以外の構成については、他の実施の形態で説明した各種構成部を採用することができる。
【産業上の利用可能性】
【００６４】
本発明を利用して、汽水湖やダム湖、または、閉鎖海域（海水の出入りの少ない海域）を改質することができる。
【図面の簡単な説明】
【００６５】
【図１】実施の形態１の気液溶解装置を利用して湖の貧酸素化を改善する例を示した説明図である。
【図２】実施の形態１の気液溶解装置の主要部分の概略構成例を示した断面図である。
【図３】実施の形態１の気液溶解装置の主要部分を斜め上方から模式的に表した図である。
【図４】実施の形態１で説明した気液溶解装置により処理した水の溶存酸素量の変化を装置の運転時間とともに示したグラフである。
【図５】従来装置の概略図である。
【図６】気液溶解装置を陸上に設置した場合の説明図である。
【図７】かえし（偏向体）の他の例を示した図である。
【図８】実施の形態２の気液溶解装置の主要部分の概略構成例を示した断面図である。
【図９】実施の形態２の気液溶解室に設けられた孔部分を含む断面図である。
【図１０】実施の形態３の気液溶解装置のノズル部分の外観斜視図である。
【符号の説明】
【００６６】
１、２１              気液溶解装置
２、２２、３２        ノズル
２ａ                  先端部分
２ｂ、３２ｂ          噴出口
３、２３              ポンプ
４、２４              酸素供給部
５、２５              気液溶解室
５ａ                  天板部分
５ｂ、２５ｂ          孔
５ｃ、２５ｃ          かえし
６、２６              気液分離室
６ａ、２６ａ          ガス抜孔
６ｂ、２６ｂ          吐出口
１０                  固定部
１１                  気液混相流体
１２                  汲上ホース
１３                  送水ホース
２５ａ                天井
２７                  隔壁体
２７ａ                上部
３０                  台座
３１                  脚部
３４                  空気の供給管
【図１】
2007075749.tif 000003
【図２】
2007075749.tif 000004
【図３】
2007075749.tif 000005
【図４】
2007075749.tif 000006
【図５】
2007075749.tif 000007
【図６】
2007075749.tif 000008
【図７】
2007075749.tif 000009
【図８】
2007075749.tif 000010
【図９】
2007075749.tif 000011
【図１０】
2007075749.tif 000012